(57)【要約】【課題】エレベータにおける各部の点検を効率的に実施する。【解決手段】エレベータの通常運転時における各部の動作データを点検データとして収集する点検データ収集部３３と、点検周期で点検項目の点検データを、点検データ収集部３３で収集された点検データから抽出する指定点検データ抽出部３７とを有し、収集漏れの点検データの点検項目に対して、自動点検運転を当該点検周期終了時に実行して点検データを求め、この求めた点検データと先に抽出された点検データとを監視センター７へ送信する。【選択図】      図１
2008230780.tif 000002
【特許請求の範囲】
【請求項１】
エレベータの通常運転時における当該エレベータを構成する各部の動作データを点検項目毎の点検データとして点検データファイルに収集する点検データ収集部と、
指定された点検周期で、指定された点検項目の点検データを前記点検データファイルから抽出する指定点検データ抽出部と、
前記点検データファイルに前記指定された点検項目の点検データが、点検周期内で欠落しているとき、この欠落している点検データの点検項目に対する自動点検運転を当該点検周期終了時に実行して、当該点検項目の点検データを求める自動点検運転部と、
この自動点検運転部で得られた点検データと前記指定点検データ抽出部で抽出された点検データとを前記指定された点検項目の当該点検周期における点検データとしてエレベータの監視センターへ送信する点検データ送信部と
を備えたことを特徴とするエレベータの点検装置。
【請求項２】
前記点検データ収集部は、前記監視センターから点検項目毎に指定された収集周期で当該点検項目の点検データを収集し、
前記指定点検データ抽出部は、前記監視センターから指定された点検周期で、前記監視センターから指定された点検項目の点検データを抽出する
ことを特徴とする請求項1記載のエレベータの点検装置。
【請求項３】
前記各収集周期は、前記点検周期に等しいか、又は前記点検周期の整数分の１に設定されていることを特徴とする請求項２記載のエレベータの点検装置。
【請求項４】
前記指定された点検周期の終了毎に、点検データ収集部にて収集された該当点検周期で収集された点検データの統計値を算出する点検データ統計部を備え、
前記指定点検データ抽出部は、前記指定された点検項目の点検データとして、前記点検データ統計部で算出された当該点検データの統計値を用いることを
を特徴とする請求項１記載のエレベータの点検装置。
【請求項５】
前記指定された点検周期の終了毎に、点検データ収集部にて収集された該当点検周期に所属する各収集周期で収集された点検データの統計値を算出する点検データ統計部を備え、
前記指定点検データ抽出部は、前記指定された点検項目の点検データとして、前記点検データ統計手段で算出された当該点検データの統計値を用いることを
を特徴とする請求項３記載のエレベータの点検装置。
【請求項６】
前記点検データ統計部は、各収集周期で収集された各点検データのうち他の点検データと著しく異なる場合は、当該点検データを外して、前記統計値を算出する
ことを特徴とする請求項４又は５記載のエレベータの点検装置。
【請求項７】
前記統計値は、最大値、最小値、平均値、最新点検データであることを特徴とする請求項４から６のいずれか１項記載のエレベータの点検装置。
【請求項８】
前記自動点検運転部は、前記点検データファイルに前記指定された点検項目の点検データが異常値を示すとき、この異常値を示す点検データの点検項目に対する自動点検運転を実行することを特徴とする請求項１記載のエレベータの点検装置。
【発明の詳細な説明】
【技術分野】
【０００１】
本発明は、エレベータの点検を自動的に行うエレベータの点検装置に関する。
【背景技術】
【０００２】
近年、高層ビルや高層マンション等が増加し、これらの建屋に組込まれたエレベータはこの建屋における縦の交通機関として重要な役割を果たしている。したがって、一旦エレベータに故障等が発生し利用できなくなると、利用客に多大な迷惑を掛けてしまう。そのため、このエレベータの保守管理会社にとっては、定期的にエレベータの状態を点検し、故障を未然に防止することが非常に重要になる。
【０００３】
このエレベータの点検を自動的に実施する技術が下記特許文献1に提案されている。すなわち、図６に示すように、図示しない昇降路内を上下移動するエレベータのかご１内にかご内運転盤２が設けられ、各階のエレベータホールには乗場呼びボタン３が取付けられている。エレベータ制御部４は、かご内運転盤２及び各階の乗場呼びボタン３からのかご呼び及び乗場呼びが指定する階へかご１を移動制御する。監視部５は、エレベータ制御部４を介して常時エレベータの動作を監視しており、異常を検出すると、電話回線６を介して、監視センター７へ異常発生を送信する。
【０００４】
このような基本的動作を行うエレベータにおいて、監視部５は、このエレベータの点検を自動実施する機能を有している。そして、例えば、点検員がかご１内のかご内運転盤２を操作して点検運転指令をエレベータ制御部４を介して監視部５へ送出すると、監視部５は、エレベータに対する自動点検運転を開始する。自動点検運転で順次得られる各点検結果は一連の自動点検運転が終了した時点で監視センター７へ送信される。
【０００５】
このようなエレベータの自動点検においては、エレベータのかご１の実際の運転が伴うので、ある程度の運転実施時間が必要である。したがって、エレベータの点検運転中に、各階に設けられた乗場呼びボタン３からかご呼び指令が出力された場合、監視部５はエレベータ点検運転を中断して、エレベータ制御部４は通常運転を行い、この通常運転の終了後に監視部５ははエレベータ自動点検運転を再開する。これによって、エレベータの自動点検運転により確実にエレベータ点検作業を行えるとともに、その際に一般利用者の利便性も確保することもできる。
【特許文献１】特開２００４−３４５７６４号公報
【発明の開示】
【発明が解決しようとする課題】
【０００６】
しかしながら上記特許文献１に記載された手法においてもまだ改良すべき次のような課題があった。
【０００７】
すなわち、エレベータの各部における機器の故障を未然に防止するためには、定期的な点検を確実に実施し、機器の状態を把握する必要がある。しかし、図６に示すエレベータの点検装置では、自動点検運転期間中にエレベータの呼びが発生するとその都度通常運転に復帰させなければならず、結果として自動点検運転が完了するまでに長時間を費やすことになる。
【０００８】
また、自動点検による点検項目が多い場合や、深夜でも比較的利用が多い事務所や飲食街が入居している商業ビル等においては、利用客による自動点検の中断の頻度が高くなってしまい、そのため所定時間内に自動点検運転が完了せず、点検結果の収集効率が低下する等の問題があった。
【０００９】
本発明は、このような事情に鑑みてなされたものであり、エレベータの各機器及び各制御動作の詳細な点検を正確に実施できるとともに、効率的に多くの点検データを収集でき、故障発生の兆候を検出でき、エレベータの故障発生を未然に防止できるとともに、エレベータの利用者に対するサービスを向上できるエレベータの点検装置を提供することを目的とする。
【課題を解決するための手段】
【００１０】
上記課題を解消するために、本発明のエレベータの点検装置においては、エレベータの通常運転時における当該エレベータを構成する各部の動作データを点検項目毎の点検データとして点検データファイルに収集する点検データ収集部と、指定された点検周期で、指定された点検項目の点検データを点検データファイルから抽出する指定点検データ抽出部と、点検データファイルに指定された点検項目の点検データが、点検周期内で欠落しているとき、この欠落している点検データの点検項目に対する自動点検運転を当該点検周期終了時に実行して、当該点検項目の点検データを求める自動点検運転部と、この自動点検運転部で得られた点検データと指定点検データ抽出部で抽出された点検データとを指定された点検項目の当該点検周期における点検データとしてエレベータの監視センターへ送信する点検データ送信部とを備えている。
【００１１】
また、別の発明に係わるエレベータの点検装置においては、点検データ収集部は、監視センターから点検項目毎に指定された収集周期で当該点検項目の点検データを収集し、指定点検データ抽出部は、監視センターから指定された点検周期で、監視センターから指定された点検項目の点検データを抽出する。
【００１２】
また、別の発明に係わるエレベータの点検装置においては、各収集周期は、点検周期に等しいか、又は点検周期の整数分の１に設定されている。
【００１３】
また、別の発明に係わるエレベータの点検装置においては、指定された点検周期の終了毎に、点検データ収集部にて収集された該当点検周期で収集された点検データの統計値を算出する点検データ統計部を備えている。また、指定点検データ抽出部は、指定された点検項目の点検データとして、点検データ統計部で算出された当該点検データの統計値を用いる。
【００１４】
さらに、別の発明に係わるエレベータの点検装置においては、指定された点検周期の終了毎に、点検データ収集部にて収集された該当点検周期に所属する各収集周期で収集された点検データの統計値を算出する点検データ統計部を備えている。また、指定点検データ抽出部は、指定された点検項目の点検データとして、点検データ統計手段で算出された当該点検データの統計値を用いる。
【００１５】
さらに、別の発明に係わるエレベータの点検装置においては、点検データ統計部は、各収集周期で収集された各点検データのうち他の点検データと著しく異なる場合は、当該点検データを外して、統計値を算出する。
【００１６】
さらに、別の発明に係わるエレベータの点検装置においては、統計値は、最大値、最小値、平均値、最新点検データである。
【００１７】
さらに、別の発明に係わるエレベータの点検装置においては、自動点検運転部は、点検データファイルに指定された点検項目の点検データが異常値を示すとき、この異常値を示す点検データの点検項目に対する自動点検運転を実行する。
【発明の効果】
【００１８】
本発明においては、エレベータの各機器及び各制御動作の詳細な点検を正確に実施できるとともに、効率的に多くの点検データを収集でき、故障発生の兆候を検出でき、エレベータの故障発生を未然に防止できるとともに、エレベータの利用者に対するサービスを向上できる。
【発明を実施するための最良の形態】
【００１９】
以下、本発明の一実施形態を図面を用いて説明する。
【００２０】
図１は、本発明の一実施形態に係わるエレベータの点検装置が組込まれたエレベータの全体構成を示すブロック図である。
【００２１】
建屋内に設けられた昇降路１１の上側に巻上機１２、制御盤１３、及び点検装置１４が設けられている。さらに、この点検装置１４は、電話回線等の通信回線１５を介して、このエレベータの動作を遠隔監視する監視センター１６に接続されている。巻上機１２には、一端にかご１７が取付けられ、他端に釣り合い錘１８が取付けられた主ロープ１９が掛けられている。そして、駆動部２５で巻上機１２を回転駆動することにより、かご１７が昇降路１１内を上下移動する。
【００２２】
かご１７内には、ドア２０及びかご呼び登録装置２１が設けられ、建屋の各階のエレベータホールには、ドア２２及び乗場呼び登録装置２３が取付けられている。かご呼び登録装置２１で登録されたかご呼び及び各階の乗場呼び登録装置２３で登録された乗場呼びは、制御盤１３内の通常運転部２４へ入力される。通常運転部２４は、このエレベータに故障が発生した場合や、自動点検運転期間以外の正常状態において、入力されたかご呼び、乗場呼びの指定する階へかご１７を移動させる指令を駆動部２５へ送出する。駆動部２５は巻上機１２を駆動して、かご１７を指定階へ移動させる。
【００２３】
この実施形態における通常運転部２４は、駆動部２５に対して、エレベータのかご１７に対する移動指示の他に、かご１７のドア２０の開閉指示、各階のエレベータホールのドア２２の開閉指示、かご１７内や各階における表示器の表示内容指示等のエレベータ運転に係わる各種の指示を駆動部２５等に出力すると共に、点検装置１４の点検データ収集部３３へその同一指示内容を通知する。
【００２４】
例えば、コンピュータで構成された点検装置１４内には、ＨＤＤ等で形成された記憶部２６、現在時刻を計時する時計回路３１、監視センター１６と通信回線１５を介して各種情報交換を行う通損部３２の各ハード構成部材が設けられている。
【００２５】
さらに、記憶部２６内には、点検項目テーブル２７、点検データファイル２８、指定点検項目点検周期メモリ２９、送信点検データバッファ３０等が形成されている。
【００２６】
点検項目テーブル２７内には、図２に示すように、このエレベータを構成する各部の動作状態を点検する場合における、点検項目と、この点検項目に対する点検結果である点検データを収集する収集周期ＴAが記憶されている。
【００２７】
例えば、点検項目として、かご１７を移動する動作時に生じる巻上機１２のモータ電流を示す「巻上機モータ電流」が設定されており、この「巻上機モータ電流」の点検データの収集周期ＴAは、「２４時間」と設定されている、すなわち、エレベータのかご１７は、１日何十回も動作されるが、巻上機モータ電流は１日に１回だけ例えば「１０Ａ」等の点検データが収集できればよい。また、各階のドア２２の開閉時間を示す「ドア開閉時間」の点検項目については、収集周期ＴAは１時間と設定されている。
【００２８】
一般的に、頻繁に動作し、故障が発生しやすい部材については、上記収集周期ＴAは短く設定されている。なお、各点検項目における収集周期ＴAは監視センター１６にて測定開始前に初期設定されている。
【００２９】
点検データファイル２８内には、図３に示すように、点検データ収集部３３で収集された各点検項目における点検データが収集時刻を付して書込まれる。例えば、前述した「巻上機モータ電流」の点検項目に対しては、点検データとして、１５Ａ（１日）、１３Ａ（２日）、…が書込まれる。
【００３０】
指定点検項目点検周期メモリ２９内には、点検項目テーブル２７内に設定された各点検項目のうち、監視センター１６にて指定された点検項目、及び点検周期ＴBが記憶される。
【００３１】
ここで、監視センター１６が指定する各点検項目毎の各収集周期ＴAと点検周期ＴBと各点検データの収集タイミングの関係を図５を用いて説明する。
【００３２】
収集周期ＴAは、前述したように、点検項目毎に定まる周期であり、点検周期ＴBは、監視センター１６が当該エレベータの各点検項目の点検データをまとめて受信して診断等の処理を実施するための周期である。この実施形態においては、点検周期ＴBは例えば１ヶ月に設定されている。そして、各点検周期ＴBの開始、終了時刻は月の変わり目の深夜２４時００分に設定されている。
【００３３】
したがって、各収集周期ＴAは、点検項目２に示すように、点検周期ＴBに等しいか、又は、点検項目１、３に示すように、点検周期ＴBの整数分の１に設定されている。さらに、点検項目４、５に示すように、収集周期ＴAが設定されていない場合もある。
【００３４】
点検データは、点検項目１、２、３に示すように、各収集周期ＴA内の実際に当該点検データの発生時刻に１個の点検データが収集される。また、点検項目４、５に示すように、収集周期ＴAが設定されていない場合においては、点検周期ＴB内に多数の点検データが収集される。
【００３５】
送信点検データバッファ３０には、一つの点検周期ＴBが終了する毎に監視センター１６へ送信される当該点検周期ＴB内で収集された指定点検項目点検周期メモリ２９に記憶された指定点検項目の点検データが書込まれる。
【００３６】
さらに、点検装置１４内には、アプリケーションプログラム上に形成された、点検データ収集部３３、指定点検項目受信部３４、点検データ修正部３５、統計部３６、指定点検データ抽出部３７、不足点検項目判定部３８、自動点検運転部３９、点検データ送信部４０等が設けられている。
【００３７】
次に、各部の動作を順番に説明していく。点検データ収集部３３は、通常運転部２４が通常運転を実施している状態で、この通常運転部２４から前述した各部に対する同一指示内容を受領すると、この指示内容の部分の動作データを例えば駆動部２５を介して取込む。例えば、指示内容がかご１７の移動の場合、巻上機１２が動作するので、動作データはモータ電流となり、「巻上機モータ電流」の点検項目における点検データとなる。そして、この点検項目の収集周期ＴAは２４時間となる。
【００３８】
そして、この取込んだ動作データが、点検項目テーブル２７に設定されている点検項目の点検データに相当する場合、この動作データを図３に示す点検データファイル２８の当該点検項目の欄に点検データとして、時計回路３１の現在時刻を収集時刻として書込む。この場合、同一欄に既に書込まれている点検データが存在し、この点検データの収集時刻が点検項目テーブル２７に設定されている該当点検項目の収集周期ＴAにおける同一周期内に入る場合は、今回の点検データを点検データファイル２８に書込まない。したがって、点検データファイル２８の各点検項目の点検データの欄には、同一収集周期ＴA内に複数の点検データが書込まれることはない。
【００３９】
指定点検項目受信部３４は監視センター１６から通信回線１５を介して通信部３２で受信した、点検項目テーブル２７内に設定された各点検項目のうち、監視センター１６にて指定された点検項目、及び点検周期ＴBを指定点検項目点検周期メモリ２９に書込む。
【００４０】
統計部３６は、図５に示すように、現在時刻ｔが一つの点検周期ＴBの終了時刻ｔeになると、点検項目３、４、５に示すように、一つの点検周期ＴBで多くの点検データが存在する場合には、一つの点検周期ＴB内に存在する点検データの最大値、最小値、平均値、最新点検データからなる統計値を算出する。
【００４１】
このように多数の点検データが存在する場合には、統計値を採用することにより、監視センター１６における診断処理を効率的に実施できる。
【００４２】
さらに、点検データ修正部３５は、統計部３６で上述した統計値を算出するに際して、同一点検周期ＴB内で収集された各点検データのうち他の点検データと著しく異なる場合は、当該点検データを外して、前記統計値を算出する。これは、エレベータの各部が正常に動作するかを監視センター１６で診断するための点検データを、エレベータを実際の利用客が利用している状態で収集するために、利用客の予期せぬ利用方法（例えば、閉じかけたドアを手で押さえる、かご１７内で飛び跳ねる、定員を大幅に超えてかごに乗込む）等に起因する明らかに故障に起因しない異常な点検データを排除する必要があるからである。
【００４３】
指定点検データ抽出部３７は、図５に示すように、現在時刻ｔが一つの点検周期ＴBの終了時刻ｔeになると、点検項目テーブル２７内に設定された各点検項目のうち、指定点検項目点検周期メモリ２９に記憶された点検項目の点検データを点検データファイル２８から読出して、送信点検データバッファ３０へ書込む。
【００４４】
なお、指定点検データ抽出部３７は、図５の点検項目３で示すように、指定された点検項目の各収集周期ＴAの点検データのうち、他の点検データと著しく異なる場合は、当該点検データを外して、送信点検データバッファ３０へ書込む。そして、不足点検項目判定部３８へ点検項目を指定した点検データの欠落を通知する。
【００４５】
不足点検項目判定部３８は、図５の点検項目１で示すように、点検データファイル２３内の指定された点検項目の各収集周期ＴAの点検データに欠落が存在すると、自動点検運転部部３９へ当該点検項目に対する自動点検指示を送出する。
【００４６】
なお、不足点検項目判定部３８は、図５の点検項目２で示すように、収集周期ＴAが点検周期ＴBに等しい場合で、この収集周期ＴA内で点検データが全く収集されていない場合も、自動点検運転部３９へ当該点検項目に対する自動点検指示を送出する。
【００４７】
さらに、不足点検項目判定部３８は、指定点検データ抽出部３７から点検項目を指定した点検データの欠落が通知されると、自動点検運転部部３９へ当該点検項目に対する自動点検指示を送出する。
【００４８】
このように、不足点検項目判定部３８は、通常運転部２４におけるエレベータに対する通常運転の動作で得られなかった点検データの点検項目を判定して、自動点検運転部部３９へこの点検項目に対する自動点検運転の実行指示を出力する。
【００４９】
自動点検運転部３９は、図５に示すように、現在時刻ｔが一つの点検周期ＴBの終了時刻ｔeになると、通常運転部２４の運転を停止させて、不足点検項目判定部３８で指定された点検項目に対する自動点検運転を実行して、各点検項目の不足の点検データを得て、送信点検データバッファ３０に書込む。
【００５０】
なお、自動点検運転の実行開始時刻は、月の変わり目の深夜２４時００分であるので、一般の利用者に迷惑が及ぶことは最小限に抑制される。さらに、自動点検運転部３９の自動点検運転の所要時間ＴCは、監視センター１６から指定された全部の点検項目に対する自動点検運転の所要時間に比較して格段に短くなる。
【００５１】
点検データ送信部４０は、自動点検運転部３９で不足又は欠落している点検データが書込まれた、送信点検データバッファ３０に記憶されている各点検項目の各点検データを通信部３２を介して、監視センター１６へファイル転送する。
【００５２】
コンピュータからなる監視センター１６において、条件設定部４１は、オペレータの操作指示に基づいて、診断に使用する点検項目の指定、各点検項目毎の収集周期ＴA、全体の点検周期ＴBを設定して、通信部４２を介して、エレベータの点検装置１４へ送信する。
【００５３】
また、通信部４２はエレベータの点検装置１４の点検データ送信部４０から受信した各点検項目の各点検データを一旦点検データメモリ４３へ書込む。診断部４４は、点検データメモリ４３に書込まれた各点検項目の各点検データを用いて、エレベータを構成する各部の故障発生の兆候の有無、寿命に対する診断を行い、診断結果を表示部４５に表示出力すると共にデータベース４６に書込む。
【００５４】
図４は、点検装置１４が行う点検処理の全体動作を示す概略の流れ図である。エレベータの通常運転時において、動作データが発生すると（ステップＳ１）、この動作データが点検項目テーブル２７に設定されている点検項目の点検データの場合（Ｓ２）、点検データファイル２８を検索する（Ｓ３）。現在時刻が所属する収集周期ＴAに、既に点検データが存在する場合は（Ｓ４）、今回の点検データを破棄し、点検データが存在しない場合は、今回の点検データを点検データファイル２８に書込む（Ｓ５）。
【００５５】
また、Ｓ６にて、監視センター１６から、点検項目、及び点検周期ＴBを受信すると、これらを指定点検項目点検周期メモリ２９に書込む（Ｓ７）。そして、現在時刻ｔが一つの点検周期ＴBの終了時刻ｔeになると（Ｓ８）、点検項目テーブル２７内に設定された各点検項目のうち、指定点検項目点検周期メモリ２９に記憶された一つの点検項目の一つの点検データ（又は一つの収集周期ＴAの点検データ）を点検データファイル２８から読出す（Ｓ９）。
【００５６】
次に、この点検データと、この点検データの一つ前の点検データ（又は一つ前の収集周期ＴAの点検データ）とを比較する（Ｓ１０）。比較結果が大きく離れている場合は、この点検データは異常値であるので（Ｓ１１）、この場合、該当点検データの点検項目を自動点検項目として、自動点検運転部３９へ設定する（Ｓ１２）。比較結果が許容範囲の場合は、この点検データは正常値であるので（Ｓ１１）、該当点検データを送信点検データバッファ３０の対応する点検項目の領域へ書込む（Ｓ１３）。
【００５７】
点検データファイル２８における一つの指定された点検項目の各点検データの正常、異常の判定を含む送信点検データバッファ３０への書込み処理が終了すると、Ｓ９へ戻り、次の点検項目の各点検データの送信点検データバッファ３０に対する書込処理を行う。
【００５８】
そして、Ｓ１４にて、指定された全部の点検項目の点検データの送信点検データバッファ３０への書込み処理が終了すると、送信点検データバッファ３０内に、指定された全部の点検項目の点検データが存在するか否かを調べる（Ｓ１５）。指定された点検項目自体が欠落している場合、また点検データが欠落している場合は、この点検項目を自動点検項目として、自動点検運転部３９へ設定する（Ｓ１６）。
【００５９】
そして、自動点検運転部３９にて欠落している点検項目に対する自動点検運転を実行し（Ｓ１７）、各点検項目の不足の点検データを得て、送信点検データバッファ３０に書込む（Ｓ１８）。最後に、送信点検データバッファ３０に記憶されている各点検項目の各点検データを通信部３２を介して、監視センター１６へファイル転送する（Ｓ１９）。
【００６０】
このように構成されたエレベータの点検装置１４においては、エレベータの点検装置１４においては、通常運転部２４におけるエレベータに対する通常運転の動作で得られる各動作データのなから、各部に対する点検項目の点検データとして採用可能なものを抽出している。そして、通常運転部２４におけるエレベータに対する通常運転の動作で得られなかった点検項目の点検データのみを、各点検周期ＴBの終了直後に自動点検運転を実施することによって補充している。
【００６１】
したがって、自動点検運転部３９の利用者が利用でできない実際のエレベータの自動点検運転時間を図６に示す従来装置の監視部に比較して大幅に短縮できる。その結果、エレベータの各機器及び各制御動作の詳細な点検を正確に実施できるとともに、効率的に多くの点検データを収集でき、故障発生の兆候を検出でき、エレベータの故障発生を未然に防止できるとともに、エレベータの利用者に対するサービスを向上できる。
【図面の簡単な説明】
【００６２】
【図１】本発明の一実施形態に係わるエレベータの点検装置が組込まれたエレベータの全体構成を示すブロック図
【図２】同実施形態のエレベータの点検装置における記憶部に形成された点検項目テーブルの記憶内容を示す図
【図３】同実施形態のエレベータの点検装置における記憶部に形成された点検データファイルの記憶内容を示す図
【図４】同実施形態のエレベータの点検装置の点検処理動作を示す流れ図
【図５】同実施形態のエレベータの点検装置における点検周期、収集周期、各点検項目の点検データの収集他移民がタイミングとの関係を示すタイムチャート
【図６】従来のエレベータ点検装置の概略構成図
【符号の説明】
【００６３】
１１…昇降路、１２…巻上機、１３…制御盤、１４…点検装置、１５…通信回線、１６…監視センター、１７…かご、２１…かご呼び登録装置、２３…乗場呼び登録装置、２４…通常運転部、２５…駆動部、２６…記憶部、２７…点検項目テーブル、２８…点検データファイル、２９…指定点検項目点検周期メモリ、３０…送信点検データバッハ、３１…時計回路、３３…点検データ収集部、３４…指定点検項目受信部、３５…点検データ修正部３５、３６…統計部、３７…指定点検データ抽出部、３８…不足点検項目判定部、３９…自動点検運転部、４０…点検データ送信部
【図１】
2008230780.tif 000003
【図２】
2008230780.tif 000004
【図３】
2008230780.tif 000005
【図４】
2008230780.tif 000006
【図５】
2008230780.tif 000007
【図６】
2008230780.tif 000008